Podtech/llm-jp-corpus-v4-ja_patent huggingface dataset:
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
水溶性酸、増粘剤として加工澱粉、デキストリン、馬鈴薯澱粉、トウモロコシ澱粉、キサンタンガム及びヒドロキシプロピルセルロースから選択される１種又は２種以上、この増粘剤とは別の物質である水溶性分散剤として乳糖、白糖、Ｄ−マンニトール、果糖、蔗糖、及び尿素から選択される１種又は２種以上を必須成分とし、前記増粘剤が前記水溶性酸及び前記水溶性分散剤と混合されている粒状物と、
炭酸塩、水、増粘剤を必須成分とし、使用時に前記粒状物と混合する粘性組成物とを含み、
前記粒状物全体に対して前記水溶性酸が２〜５０重量％、前記増粘剤が１０〜４０重量％、前記水溶性分散剤が３０〜８５重量％であり、
前記粘性組成物全体に対して炭酸塩が０．１〜１０重量％、水が７０〜９７．５重量％、前記粘性組成物の増粘剤が０．５〜２０重量％であり、
前記粒状物と粘性組成物との重量比が１：１０〜４０であることを特徴とする二酸化炭素外用剤調製用組成物。
【請求項２】
粘性組成物の増粘剤がアルギン酸ナトリウム、アルギン酸プロピレングリコールエステル、カルボキシメチルセルロースナトリウム、カルボキシメチルスターチナトリウム及びキサンタンガムから選択される１種又は２種以上である、請求項１に記載の二酸化炭素外用剤調製用組成物。
【請求項３】
水溶性酸が、シュウ酸、マロン酸、コハク酸、グルタル酸、アジピン酸、ピメリン酸、フマル酸、マレイン酸、フタル酸、イソフタル酸、テレフタル酸、グルタミン酸、アスパラギン酸、グリコール酸、リンゴ酸、酒石酸、イタ酒石酸、クエン酸、イソクエン酸、乳酸、ヒドロキシアクリル酸、α−オキシ酪酸、グリセリン酸、タルトロン酸、サリチル酸、没食子酸、トロパ酸、アスコルビン酸、グルコン酸、リン酸、リン酸二水素カリウム、リン酸二水素ナトリウム、亜硫酸ナトリウム、亜硫酸カリウム、ピロ亜硫酸ナトリウム、ピロ亜硫酸カリウム、酸性ヘキサメタリン酸ナトリウム、酸性ヘキサメタリン酸カリウム、酸性ピロリン酸ナトリウム、酸性ピロリン酸カリウム、スルファミン酸から選ばれる１種又は２種以上である請求項１に記載の二酸化炭素外用剤調製用組成物。
【請求項４】
粒状物が、多孔性顆粒である請求項１〜３のいずれかに記載の二酸化炭素外用剤調製用組成物。
【手続補正書】
【提出日】平成21年7月7日(2009.7.7)
【手続補正１】
【補正対象書類名】明細書
【補正対象項目名】０００９
【補正方法】変更
【補正の内容】
【０００９】
背面１２Ｂの上部には、撮像素子ユニット１８の撮像素子４２によって撮像された被写体像を視認するためのビューファインダー（光学式ファインダーまたは電子式ファインダー）１２１８が設けられている。
背面１２Ｂのほぼ中央には、撮像素子４２によって撮像された被写体像、あるいは、前記記録媒体から読み出された画像などを表示するためのモニター、例えば液晶表示装置からなるディスプレイパネル１６が設けられている。
また、上面１２Ｃの左側面１２Ｅ寄りの箇所と右側面１２Ｆの上部寄りの箇所には、吊り下げ紐（ショルダーストラップ）１１の両端を取り付けるための左右の取り付け部１２２０、１２２２が設けられている。
ディスプレイパネル１６の周囲の背面１２Ｂ箇所には、種々の操作を行うための複数の操作ボタン１２２４、十字キー１２２６、手振れ補正スイッチ１２３０が設けられている。
なお、シャッターボタン１２０６、操作用リング１２０８、操作ダイヤル１２１４、１２１６、複数の操作ボタン１２２４、十字キー１２２６、手振れ補正スイッチ１２３０などによって操作部４０Ｋ（図７）が構成されている。
【手続補正２】
【補正対象書類名】明細書
【補正対象項目名】００１０
【補正方法】変更
【補正の内容】
【００１０】
図３は撮像装置１０の背面１２Ｂの一部を破断して筐体１２の内部構造を示す斜視図である。
図３に示すように、筐体１２には、メイン基板１３と、撮像素子ユニット１８と、手振れ補正機構２０とが組み込まれている。
メイン基板１３には画像処理用ＬＳＩなどが搭載されている。
手振れ補正機構２０は、本発明に係る撮像素子ユニット１８を撮影光学系１４Ａの光軸と直交する平面上を移動可能に支持するものである。
撮像素子ユニット１８とメイン基板１３とはフレキシブル基板１７によって接続されている。
【手続補正３】
【補正対象書類名】明細書
【補正対象項目名】００２４
【補正方法】変更
【補正の内容】
【００２４】
信号処理基板４６は、撮像素子４２にリード線４３を介して電源や駆動信号を供給することで撮像素子４２を駆動すると共に、撮像素子４２からリード線４３を介して供給される撮像信号に対して必要な信号処理を施したのち、撮像信号をフレキシブル基板１７（図３）を介して映像信号増幅部４０Ａ（図７）に供給するものである。なお、図３、図１０に示すように、信号処理基板４６とフレキシブル基板１７とは、コネクタ４６１０を介して電気的に接続されている。
信号処理基板４６は、放熱板４４とほぼ同じ大きさの矩形板状を呈している。
図１４、図１５に示すように、撮像素子４２に電源や駆動信号を供給すると共に撮像素子４２から供給された撮像信号に信号処理を行うための回路を構成するＬＳＩやＩＣ、抵抗やコンデンサなどの電子部品４４０２は、信号処理基板４６が放熱板４４に対向する面と反対の面に実装され、信号処理基板４６が放熱板４４に対向する面にはそれら電子部品４４０２は実装されていない。
図１４、図１５に示すように、放熱板４４と信号処理基板４６とは、それらの間にスペーサ４８を介在させそれらの間に空隙部Ｓを確保した状態で平行に対向して配置されている。
スペーサ４８は、図１２に示すように、細長形状を呈し、より詳細には、厚さよりも大きな幅と、この幅よりも大きな長さとを有する扁平な長方形の板状に形成されている。
スペーサ４８は合成樹脂などの熱伝導性が低い材料で形成されている。
スペーサ４８は複数設けられ、互いに間隔をおいて平行に配置されている。
したがって、空隙部Ｓは、スペーサ４８に仕切られて複数設けられている。
また、各空隙部Ｓは、各スペーサ４８が直線状に延在していることから、放熱板４４および信号処理基板４６の縁の部分でそれぞれ開放されている。
【手続補正４】
【補正対象書類名】図面
【補正対象項目名】図２
【補正方法】変更
【補正の内容】
【図２】
2009147685.tif 000001
【手続補正５】
【補正対象書類名】図面
【補正対象項目名】図３
【補正方法】変更
【補正の内容】
【図３】
2009147685.tif 000002
【手続補正６】
【補正対象書類名】図面
【補正対象項目名】図４
【補正方法】変更
【補正の内容】
【図４】
2009147685.tif 000003
【手続補正７】
【補正対象書類名】図面
【補正対象項目名】図５
【補正方法】変更
【補正の内容】
【図５】
2009147685.tif 000004
【手続補正８】
【補正対象書類名】図面
【補正対象項目名】図６
【補正方法】変更
【補正の内容】
【図６】
2009147685.tif 000005
【手続補正書】
【提出日】平成21年10月1日(2009.10.1)
【手続補正１】
【補正対象書類名】明細書
【補正対象項目名】発明の名称
【補正方法】変更
【補正の内容】
【発明の名称】画像復号方法及び画像復号装置
【手続補正２】
【補正対象書類名】特許請求の範囲
【補正対象項目名】全文
【補正方法】変更
【補正の内容】
【特許請求の範囲】
【請求項１】
再構成された画像内の、隣接する２つのブロック間の境界を選択的にフィルタリングする画像復号方法であって、
前記再構成された画像を用い、復号対象ブロック毎に動き補償予測を行なう動き補償予測ステップと、
前記復号対象ブロックのデータを逆直交変換する逆変換ステップと、
前記フィルタリングの強度およびフィルタリングを行なうか否かを前記境界毎に判定する判定ステップと備え、
前記判定ステップは、
（１）前記隣接する２つのブロックの少なくとも一方がイントラ符号化されている場合に、第１の強度でフィルタリングを行い、
（２）前記隣接する２つのブロックの双方がイントラ符号化されておらず、かつ、前記隣接する２つのブロックの少なくとも一方で零でない変換係数が符号化されている場合に、前記第１の強度より強い第２の強度でフィルタリングを行い、
（３）前記隣接する２つのブロックの双方がイントラ符号化されておらず、前記隣接する２つのブロックの双方で零でない変換係数が符号化されておらず、前記隣接する２つのブロックが同一の参照フレームより予測されており、かつ、前記隣接する２つのブロックの動きベクトルの差の絶対値が所定の閾値より小さい場合に、フィルタリングを行わないと判定することを特徴とする画像復号方法。
【請求項２】
再構成された画像内の、隣接する２つのブロック間の境界を選択的にフィルタリングする画像復号装置であって、
前記再構成された画像を用い、復号対象ブロック毎に動き補償予測を行なう動き補償予測手段と、
前記復号対象ブロックのデータを逆直交変換する逆変換手段と、
前記フィルタリングの強度およびフィルタリングを行なうか否かを前記境界毎に判定する判定手段と備え、
前記判定手段は、
（１）前記隣接する２つのブロックの少なくとも一方がイントラ符号化されている場合に、第１の強度でフィルタリングを行い、
（２）前記隣接する２つのブロックの双方がイントラ符号化されておらず、かつ、前記隣接する２つのブロックの少なくとも一方で零でない変換係数が符号化されている場合に、前記第１の強度より強い第２の強度でフィルタリングを行い、
（３）前記隣接する２つのブロックの双方がイントラ符号化されておらず、前記隣接する２つのブロックの双方で零でない変換係数が符号化されておらず、前記隣接する２つのブロックが同一の参照フレームより予測されており、かつ、前記隣接する２つのブロックの動きベクトルの差の絶対値が所定の閾値より小さい場合に、フィルタリングを行わないと判定することを特徴とする画像復号装置。
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
蓋体により封止され、実装面に実装端子が形成されたパッケージと、
前記蓋体および前記パッケージにより囲まれた内部空間に収容されている内蔵部品と、
を備え、
前記蓋体は、前記蓋体の表面に制御端子を有し、
前記制御端子は、前記内蔵部品に電気的に接続されていることを特徴とする電子部品。
【請求項２】
前記内蔵部品は、圧電振動片および集積回路の少なくとも何れか一方を含んでいることを特徴とする請求項１に記載の電子部品。
【請求項３】
前記パッケージは、複数の基板を積層して構成され、
前記複数の基板のうち少なくとも一に貫通孔が形成され、
前記貫通孔に形成された導体を介して、前記蓋体の前記制御端子と前記内蔵部品とが電気的に接続されていることを特徴とする請求項１または２に記載の電子部品。
【請求項４】
前記パッケージは、複数の基板を積層して構成され、
前記複数の基板のうち少なくとも一の側面に前記パッケージの厚み方向に延びる凹部が形成され、
前記蓋体の前記制御端子が、前記凹部に形成された導体に電気的に接続されていることを特徴とする請求項１または２に記載の電子部品。
【手続補正２】
【補正対象書類名】明細書
【補正対象項目名】００１０
【補正方法】変更
【補正の内容】
【００１０】
上記目的は、第１の発明にあっては、蓋体により封止され、実装面に実装端子が形成されたパッケージと、前記蓋体および前記パッケージにより囲まれた前記内部空間に収容されている内蔵部品と、を備え、前記蓋体は、前記蓋体の表面に制御端子を有し、前記制御端子は、前記内蔵部品に電気的に接続されている。
第１の発明の構成によれば、蓋体に制御端子が形成されていることにより、パッケージ側にこれらの端子を形成する必要がない分、パッケージを小型に形成できる。
第２の発明にあっては、前記内蔵部品は、圧電振動片および集積回路の少なくとも何れか一方を含んでいることを特徴とする。
第２の発明の構成によれば、内蔵部品の動作制御及び／または動作確認を行うことができる。
第３の発明にあっては、前記パッケージは、複数の基板を積層して構成され、前記複数の基板のうち少なくとも一に貫通孔が形成され、前記貫通孔に形成された導体を介して、前記蓋体の前記制御端子と前記内蔵部品とが電気的に接続されていることを特徴とする。
第４の発明にあっては、前記パッケージは、複数の基板を積層して構成され、前記複数の基板のうち少なくとも一の側面に前記パッケージの厚み方向に延びる凹部が形成され、  前記蓋体の前記制御端子が、前記凹部に形成された導体に電気的に接続されていることを特徴とする。
第３および第４の発明の構成によれば、第１の発明の作用効果を発揮できる圧電発振器等の圧電デバイスを好適に形成することができる。
また、上記目的は、第１の構成にあっては、内部空間を有し、蓋体により封止されるパッケージと、前記内部空間に収容され、パッケージが封止された状態で、前記パッケージの外面に設けた制御端子と接続された内蔵部品と、前記パッケージの実装面に形成された実装端子とを備えており、前記制御端子と、前記実装端子と接続された検査用端子とが、前記パッケージの前記実装面以外のひとつの面に向くように設けられている制御端子付き電子部品により、達成される。
【手続補正書】
【提出日】平成21年9月17日(2009.9.17)
【手続補正１】
【補正対象書類名】明細書
【補正対象項目名】発明の名称
【補正方法】変更
【補正の内容】
【発明の名称】コンテンツ再生装置及びコンテンツ再生方法
【手続補正２】
【補正対象書類名】明細書
【補正対象項目名】０００８
【補正方法】変更
【補正の内容】
【０００８】
前記目的を達成するためには、例えば特許請求の範囲に記載されるように構成すればよい。従来の著作権管理ルールである、コピー禁止、コピーワンス、コピーフリーに「記録時と同等の画質で出力される映像信号はコピー禁止だが、記録時に比べ十分に画質を低下させた映像信号にはコピーを許可する新しい著作権管理ルール」を追加する。
【手続補正３】
【補正対象書類名】明細書
【補正対象項目名】０００９
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
著作権管理情報が付随しているコンテンツを記録媒体から再生して出力するコンテンツ再生装置において、
前記記録媒体からコンテンツを再生する再生手段と、
前記再生手段において再生された前記コンテンツを出力する出力手段と、
前記コンテンツに付随している著作権管理情報を検出し、前記出力手段からの出力を制御する制御手段とを備え、
前記制御手段は、再生した前記コンテンツをコピー禁止として出力する第１の状態と、再生した前記コンテンツの解像度を半分以下に落とし、１世代コピー可能またはコピーフリーとして出力する第２の状態と、再生した前記コンテンツをムーブする第３の状態とを有することを特徴とするコンテンツ再生装置。
【請求項２】
著作権管理情報が付随しているコンテンツを記録媒体から再生して出力するコンテンツ再生方法において、
前記記録媒体からコンテンツを再生し、
前記コンテンツに付随している著作権管理情報に応じて、再生した前記コンテンツをコピー禁止として出力する第１の状態と、再生した前記コンテンツの解像度を半分以下に落とし、１世代コピー可能またはコピーフリーとして出力する第２の状態と、再生した前記コンテンツをムーブする第３の状態とを有することを特徴とするコンテンツ再生方法。
【手続補正書】
【提出日】平成21年9月17日(2009.9.17)
【手続補正１】
【補正対象書類名】明細書
【補正対象項目名】発明の名称
【補正方法】変更
【補正の内容】
【発明の名称】コンテンツ再生装置及びコンテンツ再生方法
【手続補正２】
【補正対象書類名】明細書
【補正対象項目名】０００８
【補正方法】変更
【補正の内容】
【０００８】
前記目的を達成するためには、例えば特許請求の範囲に記載されるように構成すればよい。従来の著作権管理ルールである、コピー禁止、コピーワンス、コピーフリーに「記録時と同等の画質で出力される映像信号はコピー禁止だが、記録時に比べ十分に画質を低下させた映像信号にはコピーを許可する新しい著作権管理ルール」を追加する。
【手続補正３】
【補正対象書類名】明細書
【補正対象項目名】０００９
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
著作権管理情報が付随しているコンテンツを記録媒体から再生して出力するコンテンツ再生装置において、
前記記録媒体からコンテンツを再生する再生手段と、
前記再生手段において再生された前記コンテンツを出力する出力手段とを備え、
前記複数の出力手段は、コンテンツを第一の出力よりコピーを許可しないで出力し、第二の出力よりコピーを許可して出力することを特徴とするコンテンツ再生装置。
【請求項２】
著作権管理情報が付随しているコンテンツを記録媒体から再生して出力するコンテンツ再生方法において、
前記記録媒体からコンテンツを再生し、
再生された前記コンテンツを第一の出力よりコピーを許可しないで出力し、第二の出力よりコピーを許可して出力することを特徴とするコンテンツ再生方法。
【手続補正書】
【提出日】平成21年9月16日(2009.9.16)
【手続補正１】
【補正対象書類名】明細書
【補正対象項目名】発明の名称
【補正方法】変更
【補正の内容】
【発明の名称】デジタル信号受信装置、デジタル信号受信方法、及びデジタル信号送受信方法
【手続補正２】
【補正対象書類名】明細書
【補正対象項目名】００１０
【補正方法】変更
【補正の内容】
【００１０】
上記課題を解決するために、本発明の一実施の態様は、例えば特許請求の範囲に記載された技術的思想を用いる。
【手続補正３】
【補正対象書類名】明細書
【補正対象項目名】００１１
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
デジタル映像音声信号を受信するデジタル信号受信装置において、
コピー制御情報が付随した前記デジタル映像音声信号を受信する受信手段と、
前記受信手段において受信した前記デジタル映像音声信号を記録再生する記録再生手段と、
前記記録再生手段において記録し、再生した前記デジタル映像音声信号を他の機器に対しデジタル信号として出力する第１の出力手段と、
前記記録再生手段において記録し、再生した前記デジタル映像音声信号をアナログ信号として出力する第２の出力手段と、
前記記録再生手段、前記第１の出力手段及び前記第２の出力手段を制御する制御手段とを備え、
前記制御手段は、前記デジタル映像音声信号が前記コピー制御情報により所定のコピーの制限を受ける場合に、前記デジタル映像音声信号の前記第１の出力手段からの他の機器へのムーブ、または、前記第２の出力手段からのアナログ信号として他の機器で記録可能な状態での出力を可能とし、
前記第１の出力手段は、前記他の機器へのムーブにおいては、その出力先に前記デジタル映像音声信号が記録されるべき１つの機器のみが接続されているときに、前記デジタル映像音声信号を出力することを特徴とするデジタル信号受信装置。
【請求項２】
デジタル映像音声信号をデジタル信号受信装置で受信するデジタル信号受信方法において、
コピー制御情報が付随した前記デジタル映像音声信号を受信し、
受信した前記デジタル映像音声信号を記録再生し、
記録し、再生した前記デジタル映像音声信号を他の機器に対しデジタル信号として出力し、
記録し、再生した前記デジタル映像音声信号をアナログ信号として出力し、
前記デジタル映像音声信号が前記コピー制御情報により所定のコピーの制限を受ける場合に、前記デジタル映像音声信号のデジタル信号としての他の機器へのムーブ、または、アナログ信号として他の機器で記録可能な状態での出力を可能とし、
前記他の機器へのムーブにおいては、その出力先に前記デジタル映像音声信号が記録されるべき１つの機器のみが接続されているときに、前記デジタル映像音声信号を出力することを特徴とするデジタル信号受信方法。
【請求項３】
デジタル映像音声信号をデジタル信号送信装置より送信し、デジタル信号受信装置で受信するデジタル信号送受信方法において、
コピー制御情報が付随した前記デジタル映像音声信号を送信し、
前記デジタル映像音声信号を受信し、
受信した前記デジタル映像音声信号を記録再生し、
記録し、再生した前記デジタル映像音声信号を他の機器に対しデジタル信号として出力し、
記録し、再生した前記デジタル映像音声信号をアナログ信号として出力し、
前記デジタル映像音声信号が前記コピー制御情報により所定のコピーの制限を受ける場合に、前記デジタル映像音声信号のデジタル信号としての他の機器へのムーブ、または、アナログ信号として他の機器で記録可能な状態での出力を可能とし、
前記他の機器へのムーブにおいては、その出力先に前記デジタル映像音声信号が記録されるべき１つの機器のみが接続されているときに、前記デジタル映像音声信号を出力することを特徴とするデジタル信号送受信方法。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
ギアを備えた移動体に搭載した第１と第２のカメラ装置を互いに接続し、上記第１および第２のカメラで撮影した画像を合成する移動体カメラシステムに使用されるカメラ制御ユニットであって、
上記ギアの状態又は上記移動体の進行方向に応じて基準とする上記第1のカメラを選択し、上記第１のカメラ装置からリファレンスデータが供給され、上記第２のカメラ装置の画像信号を補正するためのリファレンスデータを上記第２のカメラ装置に供給する、
カメラ制御ユニット。
【請求項２】
上記カメラ制御ユニットは、上記第１のカメラ装置から供給されたリファレンスデータに基づいて上記第２のカメラ装置の画像信号を補正するためのリファレンスデータを生成し、該第２のカメラ装置に供給する、
請求項１記載のカメラ制御ユニット。
【請求項３】
上記リファレンスデータは、輝度信号に関するデータである
請求項２記載のカメラ制御ユニット。
【請求項４】
上記第１のカメラ装置は上記移動体の前方に設置され、上記第２のカメラ装置は上記移動体の後部に設置されて、上記カメラ制御ユニットで制御される
請求項１記載のカメラ制御ユニット。
【請求項５】
上記移動体はさらに第３と第４のカメラ装置を有し、該第３と第４のカメラ装置はそれぞれ上記移動体の進行方向に対して左右向きに設置される
請求項４記載のカメラ制御ユニット。
【請求項６】
ギアと、第１および第２のカメラ装置と、上記第１および第２のカメラ装置を装着した移動体であって、
基準とする上記第1のカメラを選択し、上記第1のカメラ装置からリファレンスデータが供給され、上記第２のカメラ装置の画像信号を補正するためのリファレンスデータを上記第２のカメラ装置に供給するカメラ制御ユニット、
を備え、
上記カメラ制御ユニットは、上記ギアの状態又は上記移動体の進行方向に応じて上記基準とする第1のカメラを選択する、
移動体。
【請求項７】
上記カメラ制御ユニットは、上記第１のカメラ装置から供給されたリファレンスデータに基づいて上記第２のカメラ装置の画像信号を補正するためのリファレンスデータを生成し、該第２のカメラ装置に供給する
請求項６記載の移動体。
【請求項８】
上記リファレンスデータは、輝度信号に関するデータである
請求項７記載の移動体。
【請求項９】
上記移動体はさらに第３と第４のカメラ装置を有し、該第３と第４のカメラ装置はそれぞれ上記移動体の進行方向に対して左右向きに設置される
請求項６記載の移動体。
【請求項１０】
上記第１、２、３、４のカメラ装置で得られた画像は、上記表示装置の画面上で１枚の画像として表示される、
請求項９記載の移動体。
【請求項１１】
上記表示装置で表示される画像は、当該画像の中央部に上記移動体が表示される
請求項１１記載の移動体。
【請求項１２】
移動体の前方の画像を撮影するフロントカメラ装置と、
上記移動体の後方の画像を撮影するリアカメラ装置と、
上記カメラ装置のいずれか一方のカメラ装置から第１のリファレンスデータが供給され、該第1のリファレンスデータに基づいて生成した第２のリファレンスデータを他方のカメラ装置に供給するとともに、該他方のカメラ装置で上記第２のリファレンスデータに基づき補正された画像及び上記一方のカメラ装置で撮影された画像を合成するカメラ制御ユニットと、
上記カメラ制御ユニットで合成された画像を表示する表示装置と、
を有し、
上記カメラ制御ユニットは、ギアの状態又は上記移動体の進行方向に応じて、上記カメラ装置のいずれかを上記一方のカメラ装置とし、
上記フロントカメラ装置を上記移動体の前方に配置し、上記リアカメラ装置を上記移動体の後方に配置した
移動体カメラシステム。
【請求項１３】
上記第２のリファレンスデータは、上記第１のリファレンスデータと同じデータである
請求項１２記載の移動体カメラシステム。
【請求項１４】
上記第２のリファレンスデータは、上記第１のリファレンスデータと異なるデータである 請求項１２記載の移動体カメラシステム。
【請求項１５】
上記リファレンスデータは、輝度信号に関するデータである
請求項１３記載の移動体カメラシステム。
【請求項１６】
上記第１のカメラ装置は上記移動体の前方に設置され、上記第２のカメラ装置は上記移動体の後部に設置され、該第１と第２のカメラ装置は、上記カメラ制御ユニットで制御される
請求項１３記載の移動体カメラシステム。
【請求項１７】
上記移動体はさらに第３と第４のカメラ装置を有し、該第３と第４のカメラ装置はそれぞれ上記移動体の進行方向に対して左右向きに設置される
請求項１３記載の移動体カメラシステム。
【請求項１８】
上記第１、２、３、４のカメラ装置で得られた画像は、上記表示装置の画面上で１枚の画像として表示される、
請求項１７記載の移動体カメラシステム。
【請求項１９】
上記表示装置で表示される画像は、当該画像の中央部に上記移動体が表示される
請求項１８記載の移動体カメラシステム。
【手続補正２】
【補正対象書類名】明細書
【補正対象項目名】発明の名称
【補正方法】変更
【補正の内容】
【発明の名称】カメラ制御ユニット、移動体および移動体カメラシステム
【手続補正３】
【補正対象書類名】明細書
【補正対象項目名】０００７
【補正方法】変更
【補正の内容】
【０００７】
本発明のカメラ制御ユニットは、進行方向を切替えるギアを備えた移動体に搭載した第１と第２のカメラ装置を互いに接続し、上記第１および第２のカメラで撮影した画像を合成する移動体カメラシステムに使用されるカメラ制御ユニットであって、上記移動体の進行方向に応じて基準とする上記第1のカメラを選択し、上記第１のカメラ装置からリファレンスデータが供給され、上記第２のカメラ装置の画像信号を補正するためのリファレンスデータを上記第２のカメラ装置に供給する。
本発明の移動体は、進行方向を切替えるギアと、第１および第２のカメラ装置と、上記第１および第２のカメラ装置を装着した移動体であって、基準とする上記第1のカメラを選択し、上記第1のカメラ装置からリファレンスデータが供給され、上記第２のカメラ装置の画像信号を補正するためのリファレンスデータを上記第２のカメラ装置に供給するカメラ制御ユニット、を備え、上記カメラ制御ユニットは、上記移動体の進行方向に応じて上記基準とする第1のカメラを選択する。
本発明の、移動体カメラシステムは、移動体の前方の画像を撮影するフロントカメラ装置と、上記移動体の後方の画像を撮影するリアカメラ装置と、上記カメラ装置のいずれか一方のカメラ装置から第１のリファレンスデータが供給され、該第1のリファレンスデータに基づいて生成した第２のリファレンスデータを他方のカメラ装置に供給するとともに、該他方のカメラ装置で上記第２のリファレンスデータに基づき補正された画像及び上記一方のカメラ装置で撮影された画像を合成するカメラ制御ユニットと、上記カメラ制御ユニットで合成された画像を表示する表示装置と、を有し、上記カメラ制御ユニットは、進行方向を切替えるギアの状態又は上記移動体の進行方向に応じて、上記カメラ装置のいずれかを上記一方のカメラ装置とし、記フロントカメラ装置を上記移動体の前方に配置し、上記リアカメラ装置を上記移動体の後方に配置した。
【手続補正書】
【提出日】平成21年6月1日(2009.6.1)
【手続補正１】
【補正対象書類名】特許請求の範囲
【補正対象項目名】請求項２
【補正方法】変更
【補正の内容】
【請求項２】
単位時間毎に、全てのトークン消費制御手段が、各トークンバケットからトークンを消費すると共に、全てのトークン生成手段が、前記トークンレートに応じて前記トークンバケットにトークンを補充入力することを特徴とする請求項１に記載のバッファ装置。
【手続補正２】
【補正対象書類名】特許請求の範囲
【補正対象項目名】請求項３
【補正方法】変更
【補正の内容】
【請求項３】
前記トークン消費計数手段は、前記トークン数が負である場合、前記トークンバケットにトークンが補充入力される毎に、負のトークン数を増分させることを特徴とする請求項１又は２に記載のバッファ装置。
【手続補正書】
【提出日】平成21年1月8日(2009.1.8)
【手続補正１】
【補正対象書類名】明細書
【補正対象項目名】００６３
【補正方法】変更
【補正の内容】
【００６３】
何れの場合でも、図７に示す様に、金属管３の一部を膨出させて膨出部７ａを形成し、この膨出部７ａの側壁１４の一部に上記スライド工具１３ｃの先端面２０ｂを突き当てた状態で、この側壁部１４のうちで上記抜き孔１２ａの幅方向両端縁に対応する部分の板厚Ｔ5 、Ｔ6 の差が、板厚が大きい側から見て、好ましくは３０％以内、更に好ましくは２０％以内であれば、上記通孔５ｃを形成するに就いて、特に問題を生じにくい。即ち、本実施例の製造方法は、前述した実施例１の場合よりも、板厚の差が大きい場合に適切である。又、上記先端面２０ｂのうちで最も凹んでいる、上記傾斜面２２ａのうちで上記平坦面２１ａから遠い側の端部は、図示の様に金型素子１５の内面と一致させても、或いは、上述の様にこの内面よりも少し凹んだ部分に位置させても、更には、この内面よりも少し突出させても良い。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に遊技球を打ち込んで遊技を行う遊技機であって、
前記遊技領域に打ち込まれた遊技球を受け入れる球入口と、
該球入口に入った遊技球を誘導する誘導通路が形成された通路部材と、
該通路部材を前記遊技領域に取り付ける通路取付部材と、
前記誘導通路の球排出口から排出された遊技球を受け入れて旋回する旋回転動板と、を備え、
前記通路部材は、当該通路部材を前記通路取付部材に取り付ける取付部を有し、
該取付部は、外力によって通路部材が移動し得るように遊びを持って前記通路取付部材に取り付ける遊嵌取付部から構成され、
前記旋回転動板は、中心に向って徐々に下り傾斜した円盤形状をなすと共にその中心部分には遊技球１個分の大きさの球落下口が穿設され、
前記球落下口の下部空間には、当該球落下口を落下した遊技球を複数の球通路のうちいずれかに振り分ける球振分手段が設けられ、
前記複数の球通路は、遊技内容が有利となるように遊技球を誘導する特別通路部と、遊技球を回収する排出通路部と、から構成されることを特徴とする遊技機。
【請求項２】
前記誘導通路は、螺旋状の通路形状に形成されると共に前記旋回転動板の上方に所定の間隔を置いて配置され、前記球排出口から前記旋回転動板上に遊技球を落下排出することを特徴とする請求項１記載の遊技機。
【請求項３】
前記球振分手段は、円盤形状をなす球受回転体と、該球受回転体を回転駆動するモータと、を備え、
前記球受回転体は、その外周部分に遊技球１個を受け入れる大きさの切欠部が穿設されると共に、回転動作に伴って前記切欠部に受け入れた遊技球を前記複数の球通路のうちいずれかに振り分け、
前記切欠部は、前記球受回転体の外周に沿って一定間隔を置いて複数設けられ、
該複数の切欠部は、前記特別通路部に遊技球を誘導する当選切欠部と、前記排出通路部に遊技球を誘導する落選切欠部と、から構成されることを特徴とする請求項１又は請求項２記載の遊技機。
【手続補正２】
【補正対象書類名】明細書
【補正対象項目名】０００４
【補正方法】変更
【補正の内容】
【０００４】
（解決手段１）
上記目的を達成するために、請求項１の発明においては、遊技盤に区画形成された遊技領域に遊技球を打ち込んで遊技を行う遊技機であって、前記遊技領域に打ち込まれた遊技球を受け入れる球入口と、該球入口に入った遊技球を誘導する誘導通路が形成された通路部材と、該通路部材を前記遊技領域に取り付ける通路取付部材と、前記誘導通路の球排出口から排出された遊技球を受け入れて旋回する旋回転動板と、を備え、前記通路部材は、当該通路部材を前記通路取付部材に取り付ける取付部を有し、該取付部は、外力によって通路部材が移動し得るように遊びを持って前記通路取付部材に取り付ける遊嵌取付部から構成され、前記旋回転動板は、中心に向って徐々に下り傾斜した円盤形状をなすと共にその中心部分には遊技球１個分の大きさの球落下口が穿設され、前記球落下口の下部空間には、当該球落下口を落下した遊技球を複数の球通路のうちいずれかに振り分ける球振分手段が設けられ、前記複数の球通路は、遊技内容が有利となるように遊技球を誘導する特別通路部と、遊技球を回収する排出通路部と、から構成されることを特徴とする。
この場合、誘導通路内を遊技球が通過する際、遊技球の流下によって通路部材が移動する。このため、遊技球の流下態様に応じて球排出口と旋回転動板との相対的な位置関係が変わり、旋回転動板上での遊技球の旋回軌跡を多様化することができ、ひいては遊技球の転動における視覚的な興趣を低下することがない。また、この構成によれば、誘導通路を形成する通路部材の取り付けに遊びを設けるという簡単な構成で遊技球の旋回軌跡が多様化できる。また、旋回転動板上の遊技球を旋回させながら徐々に中央の球落下口に誘導し、最終的には球落下口から遊技球を落下させる構成とすることができる。さらには、旋回転動板上を旋回した遊技球の送り先を複数設定することができると共に、球振分手段による遊技球の振り分け動作に対して遊技者に関心を持たせることができ、遊技内容を多彩にできる。
【手続補正３】
【補正対象書類名】明細書
【補正対象項目名】０００６
【補正方法】変更
【補正の内容】
【０００６】
（解決手段３）
解決手段１又は解決手段２において、前記誘導通路は、螺旋状の通路形状に形成されると共に前記旋回転動板の上方に所定の間隔を置いて配置され、前記球排出口から前記旋回転動板上に遊技球を落下排出することを特徴とする請求項１記載の遊技機。
この場合、誘導通路を通過する遊技球に回転方向の勢いを与えることで、旋回転動板上での遊技球の旋回速度を高めることができ、ひいては球流れにおける興趣が向上できる。
【手続補正４】
【補正対象書類名】明細書
【補正対象項目名】００２１
【補正方法】変更
【補正の内容】
【００２１】
（解決手段１８）
解決手段９乃至解決手段１７において、前記球振分手段は、円盤形状をなす球受回転体と、該球受回転体を回転駆動するモータと、を備え、前記球受回転体は、その外周部分に遊技球１個を受け入れる大きさの切欠部が穿設されると共に、回転動作に伴って前記切欠部に受け入れた遊技球を前記複数の球通路のうちいずれかに振り分け、前記切欠部は、前記球受回転体の外周に沿って一定間隔を置いて複数設けられ、該複数の切欠部は、前記特別通路部に遊技球を誘導する当選切欠部と、前記排出通路部に遊技球を誘導する落選切欠部と、から構成されることを特徴とする請求項１又は請求項２記載の遊技機。
この場合、遊技球の振り分け動作を球受回転体の回転動作によって行う構成とすることで、振り分けにおける視覚的な興趣が向上できる。また、当選切欠部に遊技球が入り込むか、あるいは落選切欠部に遊技球が入り込むかによって遊技内容が有利になるか否かが判断でき、振り分けにおける演出効果を高めることができる。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
複数のＬＥＤを列状に配設した回転役物をステッピングモータにより回転し、前記回転役物の回転中に前記複数のＬＥＤの発光により画像表示を行う回転ユニットと、遊技盤に配設される遊技盤ランプと、を備えた遊技機であって、
主基板と、サブ統合基板と、ランプ駆動基板と、役物制御基板と、
を備え、
前記主基板は、遊技の進行に基づいて、前記サブ統合基板に遊技進行コマンドを出力し、
前記サブ統合基板は、前記遊技進行コマンドに基づいて、各種遊技に関する制御を行い、
前記ランプ駆動基板は、前記遊技盤ランプの点灯制御を行い、
前記役物制御基板は、前記回転ユニットの制御を行い、
前記サブ統合基板は、第１のシリアルポート及び第２のシリアルポートを備え、
前記主基板から出力された遊技進行コマンドに基づいて、
前記第１のシリアルポートは、前記ランプ駆動基板にランプ用制御信号をシリアル出力し、
前記第２のシリアルポートは、前記役物制御基板に役物用制御信号をシリアル出力し、
前記ランプ駆動基板は、前記第１のシリアルポートからシリアル出力された前記ランプ用制御信号に基づいて、前記遊技盤ランプを駆動し、
前記役物制御基板は、前記第２のシリアルポートからシリアル出力された前記役物用制御信号に基づいて、前記回転ユニットの複数のＬＥＤの発光制御と、前記回転ユニットのステッピングモータの駆動制御と、をそれぞれ行うことを特徴とする遊技機。
【請求項２】
前記ランプ用制御信号は、ランプ用転送クロック及びランプ用データからなり、
前記ランプ用データは、前記ランプ用転送クロックと同期して前記第１のシリアルポートからシリアル出力され、
前記役物用制御信号は、役物用転送クロック及び役物用データからなり、
前記役物用データは、前記役物用転送クロックと同期して前記第２のシリアルポートからシリアル出力され、
前記ランプ用転送クロックは、５００ｋＨｚ未満であり、
前記役物用転送クロックは、前記ランプ用転送クロックの分周した値に設定されていることを特徴とする請求項１に記載の遊技機。
【請求項３】
請求項１又は２に記載の遊技機であって、
前記役物制御基板は、
デイジーチェーン接続可能なシフトレジスタ
を備え、
前記シフトレジスタは、前記第２のシリアルポートからシリアル出力された前記役物用データ及び前記役物用転送クロックが入力され、前記サブ統合基板から出力される役物用ラッチ信号が入力されると、該役物用ラッチ信号を契機として、該役物用データをパラレルデータに変換し、
前記サブ統合基板は、前記役物用ラッチ信号を出力したあと、役物用データの出力が完了した旨を伝える出力完了信号を前記役物制御基板に出力することを特徴とする遊技機。
【手続補正２】
【補正対象書類名】明細書
【補正対象項目名】００３５
【補正方法】変更
【補正の内容】
【００３５】
本発明の請求項１においては、サブ統合基板からのコマンドに基づいて遊技演出を行う基板をサブ統合基板と別体に設けることにより、サブ統合基板に備えたＣＰＵの負荷を抑制することができる。請求項２においては、役物用転送クロックが、ランプ用転送クロックの分周によって決定づけられる値になる仕組みにしたので、個別にクロックを用意する必要がない。請求項３においては、サブ統合基板は、役物用データの出力が完了したときに、役物用データの出力が完了した旨を伝える出力完了信号を、役物制御基板に出力する仕組みにしたので、役物制御基板は、サブ統合基板の状態を知ることができ、サブ統合基板の状態を認識した上で役物用データを取り込むことができる。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に遊技球を打ち込んで遊技を行う遊技機であって、
前記遊技領域に打ち込まれた遊技球を受け入れる球入口と、
該球入口に入った遊技球を複数の球通路のうちいずれかに振り分ける球振分手段と、を備え、
前記球振分手段は、円盤形状をなす球受回転体と、該球受回転体を回転駆動するモータと、を備え、
前記球受回転体の外周部分には、遊技球１個を受け入れる大きさに穿設されると共に、当該球受回転体の回転動作に伴って受け入れた遊技球を前記複数の球通路のうちいずれかに振り分ける切欠部が設けられ、
前記複数の球通路は、遊技内容が有利となるように遊技球を誘導する特別通路部と、遊技球を回収する排出通路部と、から構成され、
前記切欠部は、前記球受回転体の外周に沿って複数設けられ、該複数の切欠部は、前記特別通路部に遊技球を誘導する当選切欠部と、前記排出通路部に遊技球を誘導する落選切欠部と、から構成され、
前記特別通路部は、前記当選切欠部に遊技球が入ってから前記球受回転体が回転した位置で前記切欠部の遊技球を受け入れる球受入口を備えることを特徴とする遊技機。
【請求項２】
前記球受回転体を支承する支承面部を備え、
該支承面部は、前記球受回転体よりも若干大きめの凹面形状に形成されると共に、奥側部分が手前側部分に比べて上方に傾いた傾斜面をなしていることを特徴とする請求項１記載の遊技機。
【請求項３】
前記当選切欠部の切込寸法は、遊技球の直径とほぼ同一に設定される一方、前記落選切欠部の切込寸法は、遊技球の直径よりも若干大きめに設定され、
前記支承面部の上側部分には、前記特別通路部の球受入口と前記排出通路部の球受入口とがそれぞれ遊技球１個分の大きさに穿設され、
前記特別通路部の球受入口は、前記当選切欠部内に保持された遊技球の位置と対応した箇所に設けられ、
前記排出通路部の球受入口は、前記球受回転体の回転に伴って前記落選切欠部内で移動した遊技球の位置と対応した箇所に設けられることを特徴とする請求項１又は請求項２記載の遊技機。
【請求項４】
遊技球の入賞を可能にする開放位置と遊技球の入賞を不可能にする閉鎖位置との間で移行可能な開閉部材を有する可変入賞口と、前記特別通路部で誘導された遊技球によって前記開閉部材を閉鎖位置から開放位置に移行する開放手段と、を備えることを特徴とする請求項１乃至請求項３のいずれかに記載の遊技機。
【手続補正２】
【補正対象書類名】明細書
【補正対象項目名】００１０
【補正方法】変更
【補正の内容】
【００１０】
（解決手段７）
解決手段１乃至解決手段６において、前記球受回転体を支承する支承面部を備え、該支承面部は、前記球受回転体よりも若干大きめの凹面形状に形成されると共に、奥側部分が手前側部分に比べて上方に傾いた傾斜面をなしていることを特徴とする請求項１記載の遊技機。
この場合、球受回転体は、奥側部分が手前側部分に比べて上方に傾いて取り付けられるので、球受回転体の外周部分に穿設された切欠部を遊技者側から視認し易くできる。
【手続補正３】
【補正対象書類名】明細書
【補正対象項目名】００１１
【補正方法】変更
【補正の内容】
【００１１】
（解決手段８）
解決手段１乃至解決手段７において、前記当選切欠部の切込寸法は、遊技球の直径とほぼ同一に設定される一方、前記落選切欠部の切込寸法は、遊技球の直径よりも若干大きめに設定され、前記支承面部の上側部分には、前記特別通路部の球受入口と前記排出通路部の球受入口とがそれぞれ遊技球１個分の大きさに穿設され、前記特別通路部の球受入口は、前記当選切欠部内に保持された遊技球の位置と対応した箇所に設けられ、前記排出通路部の球受入口は、前記球受回転体の回転に伴って前記落選切欠部内で移動した遊技球の位置と対応した箇所に設けられることを特徴とする請求項１又は請求項２記載の遊技機。
この場合、落選切欠部に入った遊技球は、球受回転体の回転に伴って徐々に球受回転体の中心方向に移動し、落選切欠部が排出通路部の球受入口の位置まで回転したときに落選切欠部に送り込まれ、当選切欠部に入った遊技球は、当選切欠部内で保持され、当選切欠部が特別通路部の球受入口の位置まで回転したときに特別通路部に送り込まれる構成にできる。
【手続補正４】
【補正対象書類名】明細書
【補正対象項目名】００１４
【補正方法】変更
【補正の内容】
【００１４】
（解決手段１１）
解決手段１乃至解決手段１０において、前記排出通路部には、当該排出通路部内を通過する遊技球を検出する排出球検出手段が設けられる。
この場合、球受回転体によって振り分けられた遊技球が排出通路部に送り込まれたことを検出することができる。
（解決手段１２）
解決手段１乃至解決手段１１において、遊技球の入賞を可能にする開放位置と遊技球の入賞を不可能にする閉鎖位置との間で移行可能な開閉部材を有する可変入賞口と、前記特別通路部で誘導された遊技球によって前記開閉部材を閉鎖位置から開放位置に移行する開放手段と、を備えることを特徴とする請求項１乃至請求項３のいずれかに記載の遊技機。
この場合、球振分手段によって遊技球が特別通路部に振り分けられたとき、遊技特典として可変入賞口を開放する構成にできる。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に遊技球を打ち込んで遊技を行う遊技機であって、
前記遊技領域に打ち込まれた遊技球を受け入れる入賞口と、該入賞口を開放する開放位置と閉鎖する閉鎖位置との間で移行可能な開閉部材と、を有する可変入賞球装置を備え、
前記可変入賞球装置は、
前記入賞口に入った遊技球を検出する球検出手段と、
前記入賞口に入った遊技球を前記遊技盤の裏面側で誘導する誘導路と、を備え、
前記誘導路は、遊技球を当該可変入賞球装置の側方に向けて排出する球排出部を有し、
前記球検出手段は、遊技球の通過に基づいて当該遊技球の検出を行う球検出部を有すると共に、該球検出部が前記球排出部の通路側壁の一部を構成するように配置されることを特徴とする遊技機。
【請求項２】
前記可変入賞球装置は、左右方向に並設された２つの入賞口を備えると共に、該２つの入賞口には、前記開閉部材が個々に開閉可能に設けられると共に、前記球排出部に前記球検出手段が配置された前記誘導路が個々に連通して設けられ、左側の入賞口と対応する左球排出部は、左側方に向けて遊技球を排出する通路傾斜に形成され、右側の入賞口と対応する右球排出部は、右側方に向けて遊技球を排出する通路傾斜に形成されることを特徴とする請求項１記載の遊技機。
【請求項３】
前記可変入賞球装置は、上下二段に設けられた２つの入賞口を備えると共に、該２つの入賞口には、前記開閉部材が個々に開閉可能に設けられると共に、前記球排出部に前記球検出手段が配置された前記誘導路が個々に連通して設けられ、上側の入賞口と対応する上球排出部は、左側方又は右側方に向けて遊技球を排出する通路傾斜に形成され、下側の入賞口と対応する下球排出部は、前記上球排出部による遊技球の排出方向と同一方向に向けて遊技球を排出する通路傾斜に形成されることを特徴とする請求項１記載の遊技機。
【手続補正２】
【補正対象書類名】明細書
【補正対象項目名】０００８
【補正方法】変更
【補正の内容】
【０００８】
（解決手段５）
解決手段１乃至解決手段４において、前記可変入賞球装置は、左右方向に並設された２つの入賞口を備えると共に、該２つの入賞口には、前記開閉部材が個々に開閉可能に設けられると共に、前記球排出部に前記球検出手段が配置された前記誘導路が個々に連通して設けられ、左側の入賞口と対応する左球排出部は、左側方に向けて遊技球を排出する通路傾斜に形成され、右側の入賞口と対応する右球排出部は、右側方に向けて遊技球を排出する通路傾斜に形成されることを特徴とする請求項１記載の遊技機。
この場合、可変入賞球装置に左右の入賞口を設けた構成において、可変入賞球装置の裏面側を極力コンパクトな構成とすることで、装置自体の大型化を回避することができる。
【手続補正３】
【補正対象書類名】明細書
【補正対象項目名】０００９
【補正方法】変更
【補正の内容】
【０００９】
（解決手段６）
解決手段１乃至解決手段４において、前記可変入賞球装置は、上下二段に設けられた２つの入賞口を備えると共に、該２つの入賞口には、前記開閉部材が個々に開閉可能に設けられると共に、前記球排出部に前記球検出手段が配置された前記誘導路が個々に連通して設けられ、上側の入賞口と対応する上球排出部は、左側方又は右側方に向けて遊技球を排出する通路傾斜に形成され、下側の入賞口と対応する下球排出部は、前記上球排出部による遊技球の排出方向と同一方向に向けて遊技球を排出する通路傾斜に形成されることを特徴とする請求項１記載の遊技機。
この場合、可変入賞球装置に上下の入賞口を設けた構成において、可変入賞球装置の裏面側を極力コンパクトな構成とすることで、装置自体の大型化を回避することができる。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
上紙と下紙が剥離可能に貼り合わされ、上紙の表面に感熱発色層が設けられ、上紙と下紙の間に感熱発色層が設けられた感熱複写帳票であって、
上記上紙の表面もしくは裏面、または上記下紙の裏面のうち、いずれか一つの面あるいはその複数の面に濃色系インキを塗布した隠蔽層が設けられるとともに、上記上紙の感熱発色層上の一部に発色阻害剤が塗布されていることを特徴とする感熱複写帳票。
【請求項２】
請求項１に記載の感熱複写帳票において、上記発色阻害剤の全部または一部に浸透性インキが塗布されていることを特徴とする感熱複写帳票。
【請求項３】
上紙と下紙が剥離可能に貼り合わされ、上紙と下紙の間に感熱発色層が設けられた感熱複写帳票であって、
上記上紙の表面もしくは裏面、または上記下紙の裏面のうち、いずれか一つの面あるいはその複数の面に濃色系インキを塗布した隠蔽層が設けられていることを特徴とする感熱複写帳票。
【請求項４】
上紙と下紙が剥離可能に貼り合わされ、上紙が透明性紙材もしくは透明性樹脂フィルムからなり、上紙と下紙の間に感熱発色層が設けられた感熱複写帳票であって、
上記上紙の表面もしくは裏面、または上記下紙の裏面のうち、いずれか一つの面あるいはその複数の面に濃色系インキを塗布した隠蔽層が設けられていることを特徴とする感熱複写帳票。
【請求項５】
請求項３または４に記載の感熱複写帳票において、上記上紙の表面の全部または一部に浸透性インキが塗布されていることを特徴とする感熱複写帳票。
【手続補正２】
【補正対象書類名】明細書
【補正対象項目名】０００７
【補正方法】変更
【補正の内容】
【０００７】
本発明に係る感熱複写帳票は、上述した課題を解決するため、上紙と下紙が剥離可能に貼り合わされ、上紙の表面に感熱発色層が設けられ、上紙と下紙の間に感熱発色層が設けられた感熱複写帳票であって、上記上紙の表面もしくは裏面、または上記下紙の裏面のうち、いずれか一つの面あるいはその複数の面に濃色系インキを塗布した隠蔽層が設けられるとともに、上記上紙の感熱発色層上の一部に発色阻害剤が塗布されていることを特徴とするものである。
【手続補正３】
【補正対象書類名】明細書
【補正対象項目名】００１２
【補正方法】変更
【補正の内容】
【００１２】
また、本発明に係る感熱複写帳票は、上述した課題を解決するため、上紙と下紙が剥離可能に貼り合わされ、上紙と下紙の間に感熱発色層が設けられた感熱複写帳票であって、上記上紙の表面もしくは裏面、または上記下紙の裏面のうち、いずれか一つの面あるいはその複数の面に濃色系インキを塗布した隠蔽層が設けられていることを特徴とする。また、本発明に係る感熱複写帳票は、上紙と下紙が剥離可能に貼り合わされ、上紙が透明性紙材もしくは透明性樹脂フィルムからなり、上紙と下紙の間に感熱発色層が設けられた感熱複写帳票であって、上記上紙の表面もしくは裏面、または上記下紙の裏面のうち、いずれか一つの面あるいはその複数の面に濃色系インキを塗布した隠蔽層が設けられていることを特徴とする。この構成によると、上紙にグラシン紙等のように熱伝導性に優れ、かつ、透明度の高い素材を選択することができるので、下紙の発色性がより向上する。